(57)【要約】【課題】垣根を簡略化でき且つ短時間に構築することが可能な垣根の構造を提供する。【解決手段】所定の距離をもって立設された角形鋼管等による一対の支柱１Ａ，１Ｂの間には、これらの上下位置に鉄パイプ等による胴縁２Ａ，２Ｂが取り付けられている。一対の支柱１Ａ，１Ｂの間には、胴縁２Ａ，２Ｂに取り付けられる複数の垣根材の下端が地面に直接触れない様にする腰掛枠４が配設されている。腰掛枠４上の支柱１Ａの近傍に竹材５が立て掛けられ、この竹材５が緊縛材６によって胴縁２Ａ，２Ｂに取り付けられる。同様にして、次の竹材５が緊縛材６によって胴縁２Ａ，２Ｂに取り付けられる。以後、支柱１Ｂに達するまで複数の竹材５が緊縛材６によって取り付けられることにより、垣根１０が完成する。【選択図】図１
0003161208.tif 000002
【実用新案登録請求の範囲】
【請求項１】
所定の距離を隔てて立設された一対の支柱と、
前記一対の支柱同士を連結するようにして当該一対の支柱の上部側及び下部側にそれぞれ架け渡された少なくとも２本の胴縁と、
前記一対の支柱の間の設置面に配設され、所定の高さ位置に載置面が設けられた受け部材と、
前記受け部材の前記載置面上に互いに密着状態で配置された複数の垣根材と、
前記垣根材を前記２本の胴縁に固定する緊縛材と、
を備えた垣根の構造。
【請求項２】
請求項１に記載の垣根の構造において、
前記一対の支柱及び前記胴縁は、中空状の金属パイプであることを特徴とする垣根の構造。
【請求項３】
請求項１又は２に記載の垣根の構造において、
前記受け部材は、前記複数の垣根材を設置面から所定の高さ位置で一列に配置するための載置面を形成する複数の金属線材と、
複数の前記金属線材をその長さ方向における所定間隔ごとに相互に連結する複数の補強線材と、
複数の前記金属線材のいずれかに一端が固定されると共に、他端が前記胴縁のうちの最下段の１つに係着されるＵ字形部を有する複数の係着部材と、
を備えたことを特徴とする垣根の構造。
【請求項４】
請求項１から３のいずれか１項に記載の垣根の構造において、
前記複数の垣根材は、その一端が節の真上で切断されている竹であることを特徴とする垣根の構造。
【請求項５】
請求項１から４のいずれか１項に記載の垣根の構造において、
前記緊縛材は、前記竹材の外周面の曲率よりも大きい曲率の湾曲部を有するＵ字形部と、
前記Ｕ字形部の両端に設けられると共に、前記各胴縁に係着される一対の係止部とを備えることを特徴とする垣根の構造。
【考案の詳細な説明】
【技術分野】
【０００１】
本考案は、竹等の間伐材を利用した垣根の構造に関し、特に、竹等の間伐材を利用して鉄砲垣状の垣根を簡単且つ短時間に作ることが可能とし、それによって竹等の間伐材の有効利用を図ることができる垣根の構造に関する。
【背景技術】
【０００２】
日本庭園、旅館、和風住宅等においては、目隠し等を目的にして垣根を設けられることがある。例えば、竹を垣根材に用いた垣根は古くからあり、その組み方等によって、鉄砲垣、御簾垣根、建仁寺垣、四目垣等と呼ばれている。
【０００３】
ところで、植林した樹木を栽培する上で樹木の成長過程において枝を払ったり、間引きをすることによって生じたや伐採材や間伐材を垣根に利用することが行われている。この様な垣根の一例として、例えば、特許文献１に示すものがある。特許文献１に示された垣根は伐採材を利用した垣根であり、具体的には、長板状に立設されたガイド部を有する下枠とＶ字形のガイド突状を有する上枠とを支柱間に取り付け、更に、竹材の下端にガイド部に嵌入可能な下端溝を設けると共に上端にガイド突状に合致する上端溝を設けた複数の竹材とを備え、この複数の竹材を下端溝とガイド部とが嵌合し且つ上端溝とガイド突状とが嵌合する様にして下枠と上枠との間に連続的に並べて構成されてなる。
【先行技術文献】
【特許文献】
【０００４】
【特許文献１】実用新案登録第３１０８５１９号公報
【考案の概要】
【考案が解決しようとする課題】
【０００５】
しかし、特許文献１の伐採材垣の構造は、下枠と上枠との間に全ての竹材を挟み込む構造であるため、全ての竹材の長さを均一の長さに切断し、且つ、竹材の上面及び下面に上端溝及び下端溝を設ける必要があると共に、下枠にガイド部を設け上枠にガイド突状を設ける必要があった。そのため、構成が複雑であり、また、垣根の施工に多大の時間を要していた。更に、設置後、腐食等により竹材の一部を交換する必要が生じた場合、上枠を取り外すか上枠の一部を浮かす等の作業が必要となり、交換作業に手間がかかるものであった。
【０００６】
そこで、本考案の目的は、垣根材に対する溝加工等を不要とし、且つ、垣根材を取り付けるための部材の構成を簡単にすることで、短時間で垣根を構築することが可能な垣根の構造を提供することにある。
また、垣根材の交換も容易に行うことができる垣根の構造を提供することを目的とする。
【課題を解決するための手段】
【０００７】
上記目的を達成するため、請求項１に記載の本考案は、所定の距離を隔てて立設された一対の支柱と、一対の支柱同士を連結するようにして一対の支柱の上部側及び下部側にそれぞれ架け渡された少なくとも２本の胴縁と、一対の支柱の間の設置面に配設され、所定の高さ位置に載置面が設けられた受け部材と、受け部材の載置面上に互いに密着状態で配置された複数の垣根材と、垣根材を前記２本の胴縁に固定する緊縛材とを備えた垣根の構造を提供する。
【０００８】
上記目的を達成するため、請求項２に記載の本考案は、請求項１に記載の垣根の構造において、一対の支柱及び胴縁は、中空状の金属パイプであることを特徴とする。
【０００９】
上記目的を達成するため、請求項３に記載の本考案は、請求項１又は２に記載の垣根の構造において、受け部材は、複数の垣根材を設置面から所定の高さ位置で一列に配置するための載置面を形成する複数の金属線材と、複数の金属線材をその長さ方向における所定間隔ごとに相互に連結する複数の補強線材と、複数の金属線材のいずれかに一端が固定されると共に、他端が胴縁のうちの最下段の１つに係着されるＵ字形部を有する複数の係着部材とを備えたことを特徴とする。
【００１０】
上記目的を達成するため、請求項４に記載の本考案は、請求項１から３のいずれか１項に記載の垣根の構造において、複数の垣根材は、その一端が節の真上で切断されている竹であることを特徴とする。
【００１１】
上記目的を達成するため、請求項５に記載の本考案は、請求項１から４のいずれか１項に記載の垣根の構造において、緊縛材は、竹材の外周面の曲率よりも大きい曲率の湾曲部を有するＵ字形部と、Ｕ字形部の両端に設けられると共に各胴縁に係着される一対の係止部とを備えることを特徴とする。
【考案の効果】
【００１２】
本考案に係る垣根の構造によれば、入手容易な材料によって垣根を構築することができると共に垣根の構成を簡略化することでき、短時間で垣根を構築することができるという効果がある。
また、本考案に係る垣根の構造によれば、設置後の垣根材の交換などの補修を容易に行うことができるという効果がある。
【図面の簡単な説明】
【００１３】
【図１】本考案に係る垣根の斜視図である。
【図２】図１に示す垣根の右側面図である。
【図３】垣根材を取り付ける前の垣根の構成を示す斜視図である。
【図４】図１に示す腰掛枠を示し、（ａ）は斜視図、（ｂ）は側面図である。
【図５】垣根材及び胴縁に装着後の緊縛材を示す斜視図である。
【図６】緊縛材の形状例を示し、図中、（ａ）〜（ｄ）は外形の異なる垣根材に対応させた形状図である。
【考案を実施するための形態】
【００１４】
簡単且つ短時間に垣根を構築でき、更に設置後の補修を容易にするという目的を、竹材等の垣根材の両端に溝加工等を施すことなく、長さを揃えた複数の垣根材を受け部材上に一列に並べ、各垣根材を緊縛材によって胴縁に取り付けることにより達成した。以下、好ましい実施例に基づいて詳細に説明する。
【実施例】
【００１５】
［垣根の構成］
図１は本考案に係る垣根の斜視図、図２は図１の垣根の右側面図、図３は垣根材を取り付ける前の垣根の構成を示す斜視図である。図１及び図２に示すように、垣根１０は、下端部が地中に埋設された支柱（親柱）１Ａ，１Ｂと、支柱１Ａと支柱１Ｂを連結するようにして支柱１Ａと支柱１Ｂの間の上下２カ所に固定金具３Ａ〜３Ｄによって水平且つ平行に取り付けられた胴縁２Ａ，２Ｂと、支柱１Ａの下端と支柱１Ｂの下端との間の地面（設置面）に設置された腰掛枠（受け部材）４と、腰掛枠４上に互いに密着するようにして一列且つ連続的に並べられた複数の竹材（垣根材）５と、竹材５のそれぞれの上下２箇所を個別に胴縁２Ａ，２Ｂに取り付けるための複数の緊縛材６と、支柱１Ａ，１Ｂの下端を地中で保持するコンクリート等からなる基礎ブロック７と、を備えて構成されている。
【００１６】
支柱１Ａ，１Ｂは、いわゆる角形鋼管（例えば、外径５０．０ｍｍ、肉厚２．３ｍｍ）によって構成されている。もちろん、角形鋼管に限定されるものではなく、円筒状の鉄パイプや、アルミニウム等の金属パイプ、樹脂パイプ、木柱、樹脂成形やコンクリートによる擬木等を用いることが可能であるが、角形鋼管は強度が優れ、どこでも安価に入手することができるので後述する垣根材となる間伐材が生産される現地でも容易に入手でき運搬にも都合がよいというメリットがある。
【００１７】
一方、胴縁２Ａ，２Ｂは、円筒状の鉄パイプによって構成されている。もちろん、円筒状の鉄パイプに限定されるものではなく、例えば、同径のアルミニウム等の金属パイプ、樹脂パイプ、竹等であってもよい。なお、鉄パイプによる胴縁２Ａ，２Ｂは、通常、塗装は施されていないが、表面に竹材５と同色の塗装を施すと垣根１０の見栄えが向上するので好ましい。胴縁２Ａ，２Ｂは固定金具３Ａ〜３Ｄによって支柱１Ａと支柱１Ｂとの間に架け渡されるようにして水平且つ平行に取り付けられる。ここで、固定金具３Ａ〜３Ｄは、例えば、支柱１Ａ，１Ｂに用いた角形鋼管と胴縁２Ａ，２Ｂに用いた鉄パイプとを連結固定するためのボルトを用いることができる。なお、固定金具３Ａ〜３Ｄは、ボルトに代えて金属製のクランプ部材、金属ワイヤ、シュロ縄等を用いることも可能である。また、本実施形態では支柱１Ａ，１Ｂは、左右にそれぞれ角形鋼管を１本づつ配置して形成されているが、左右にそれぞれ角形鋼管２本づつ配置して、且つ、胴縁２Ａ，２Ｂを２本の角形鋼管で挟持するようにして支柱１Ａ，１Ｂを構成することもできる。
【００１８】
腰掛枠４は、図３に示すように、支柱１Ａと支柱Ｂの間の距離と少なくとも同程度の長さを有し、且つ、複数の竹材５を設置面である地面に接触せずに少し浮かせた状態で安定に設置できる高さ及び幅を有している。図４は腰掛枠４の詳細を示し、（ａ）はその斜視図、（ｂ）はその右側面図である。
【００１９】
腰掛枠４は、図３及び図４に示すように、階段状に布設された６本の直線状の金属線材４１ａ〜４１ｆと、金属線材４１ａ〜４１ｆを相互に溶接等によって連結したカギ状の補強線材４２と、金属線材４１ｅ及び金属線材４１ｆの両側に溶接等により取り付けられると共にＪ字形（又は、Ｕ字形）の曲げ加工が上端に施され、該Ｊ字形部分が胴縁２Ｂに係着された一対の係着部材４３と、を有して形成されている。金属線材４１ａ〜４１ｆはいずれも支柱１Ａと支柱１Ｂとの間の距離に相当する長さを有している。なお、金属線材４１ａ〜４１ｆは細い鉄筋等で構成することもできる。また、本実施例では係着部材４３は２つとしたが、それ以上設けてもよい。このように、腰掛枠４を金属線材４１ａ〜４１ｆによって形成することで垣根材の底面に雨水等が滞留することがないので垣根材の腐食が抑制される。
【００２０】
腰掛枠４は、必要に応じて全体にメッキを施し、塩化ビニール樹脂等で被覆し、或いは塗装等を施すことができる。なお、腰掛枠４は、図２及び図４に示した構成に限定されるものではなく、例えば、角材、コンクリートブロック等を用いてもよい。但し、竹材５との間に水溜まりを生じない構造を有すると共に軽量であることが望ましい。
【００２１】
竹材５は、所謂「立子」となるものであり、具体的には、竹林等の間伐により得られた間伐材である竹である。図１に示すように、竹材５は丸竹のまま用いており、その一端（設置時には上端となる側）は節５１の真上で切断され、この節の切断面を基準としてそれぞれの竹材５の長さを同じ（例えば、１．２ｍ）に揃えている。従って、竹材５の下側の節の位置はばらばらになっている。なお、竹材５は、自然竹に代えて樹脂成形等による擬竹を用いてもよい。
【００２２】
緊縛材６は、竹材５を胴縁２Ａ，２Ｂに固定するための金具であり、鋼材、ステンレス等の金属線に図５に示す様な曲げ加工を施すことによって形成されている。具体的には、緊縛材６は、竹材５の外周面の曲率よりも大きい曲率の湾曲部Ｒを有するＵ字状のＵ字形部６１ａと、このＵ字形部６１ａの両端に設けられ、胴縁２Ａ又は胴縁２Ｂに係着される一対の係止部６１ｂ，６１ｃと、を有して形成されている。一対の係止部６１ｂ，６１ｃは胴縁２Ａ，２Ｂに係止可能なようにＵ字状又はＪ字状に折り曲げられて形成されている。このように、緊縛材６を金属線によって形成することで金属線の有する弾性によって竹材５を胴縁２Ａ，２Ｂに固定することができ、また緊縛材６を取り外することで竹材５の交換を可能としている。
【００２３】
ところで、竹材５に間伐材を用いた場合、その外径、すなわち竹材５の太さは様々である。そこで、本実施例の緊縛材６では、例えば直径３０〜１５０ｍｍの竹材５に対応できるように、図６の（ａ），（ｂ）に示すような４タイプの緊縛材６を準備しておくとよい。なお、緊縛材６の外径は、４タイプ共に２．６ｍｍである。
【００２４】
図６の（ａ）は直径３０〜６０ｍｍの竹材５に対応可能な緊縛材６であり、Ｕ字形部６１ａの内径を３０（ｍｍ）Ｒとしている。更に、図６の（ｂ）は、直径６０〜９０ｍｍの竹材５に対応可能な緊縛材６であり、Ｕ字形部６１ａの内径は４５（ｍｍ）Ｒである。図６の（ｃ）は、直径９０〜１２０ｍｍの竹材５に対応可能な緊縛材６であり、Ｕ字形部６１ａの内径は６０（ｍｍ）Ｒである。図６の（ｄ）は、直径１２０〜１５０ｍｍの竹材５に対応可能な緊縛材６であり、Ｕ字形部６１ａの内径は７５（ｍｍ）Ｒである。なお、ここでは４タイプを製作したが、例えば、３０ｍｍ、４５ｍｍ、６０ｍｍ、７５ｍｍ、・・・のように１５ｍｍ毎に１２タイプを用意すれば、緊縛材６が竹材５に装着し易くなると共に、見栄えを良くすることができる。
【００２５】
［垣根の組み立て］
次に、垣根１０の組み立てについて説明する。まず、施工者は、必要数（支柱１Ａ，１Ｂ間を埋められる数）の竹材５を準備し、それぞれの一端を図１に示す様に節５１の直ぐ外側の位置で切断する。また、竹材５のそれぞれの他端は、予め定めた長さ（例えば、１．２ｍ）に切断する。
【００２６】
次に、施工者は、垣根１０を設置したい場所に腰掛枠４を仮設する。更に、施工者は腰掛枠４の両側の地面に穴を堀り、この穴の中に支柱１Ａ，１Ｂの下端を挿入するための孔部が形成された基礎ブロック７を埋設する（図２参照）。そして、基礎ブロック７の穴に支柱１Ａ，１Ｂの下端を挿入する。必要に応じて支柱１Ａ，１Ｂの基礎ブロック７内の部分をモルタル等で固定する。次に、施工者は、地上の支柱１Ａと支柱１Ｂとの間に、固定金具３Ａ〜３Ｄによって胴縁２Ａ，２Ｂを水平且つ平行に取り付ける。
【００２７】
次に、施工者は、腰掛枠４を正確に位置決めした後、節５１の真上で切断した側が上側になるようにして、竹材５の最初の１本を腰掛枠４上の支柱１Ａの近傍に立て掛ける。このとき、竹材５を上記とは逆にして立て掛けると、竹材５の上端側に凹部が形成されている場合、その凹部内に雨水等が溜まって腐食し易くなると共にボウフラ等が発生するので好ましくない。
【００２８】
次いで、図５に示す様に竹材５を緊縛材６によって胴縁２Ａに取り付ける。胴縁２Ａへの取り付けが終わったら、胴縁２Ａの場合と同様にして、施工者は竹材５の下部を緊縛材６によって胴縁２Ｂに取り付ける。
【００２９】
２本目の竹材５の胴縁２Ａ，２Ｂへの取り付けは、１本目の竹材５になるべく密着させて配置し、上記した様にして緊縛材６で取り付ける。このとき、２本目の竹材５に用いる緊縛材６は、図５に示すように、１本目の竹材５用の緊縛材６の第２Ｕ字形部６１ｃに対し、２本目の竹材５用の緊縛材６の第２Ｕ字形部６１ｂが交差するように胴縁２Ａ，２Ｂに第２Ｕ字形部６１ｂ，６１ｃを引っ掛けるとよい。
【００３０】
３本目以降の竹材５は、２本目の竹材５と同様に胴縁２Ａ，２Ｂに接するようにして腰掛枠４に立て掛け、上記した様にして緊縛材６により胴縁２Ａ，２Ｂに取り付ける。以後、竹材５が支柱１Ｂに至るまで上記したようにして順次胴縁２Ａ，２Ｂに取り付けられることにより、図１に示す様に垣根１０の１つが完成する。
【００３１】
上記実施例によれば、従来の様な竹材５の両端に対する溝加工等が不要になるため、垣根１０の施工が簡単になり、施工時間を短縮することができると共に施工者の熟練を不要にすることができる。
【００３２】
また、竹材５の下側に腰掛枠４を設けたことによって複数の竹材５の高さを揃えることができ、垣根１０の見栄えを良くすることができると共に各竹材５の下端の腐食を低減できることによって竹材５の使用寿命を延ばすことができる。
【００３３】
さらに、竹材５の胴縁２Ａ，２Ｂへの取り付けは、竹材５の１本毎に緊縛材６によって行えるため、シュロ縄等を用いる伝統的な竹材５の取り付け方法に比べ、竹材５の取り付け時間を短縮することができると共に施工者の熟練を不要にすることができる。また、垣根１０の竹材５に補修が生じた場合、即ち１本以上に交換の必要が生じた場合でも、該当する竹材５の緊縛材６を取り外すのみで済むため、竹材５の交換作業が極めて容易になる。
【００３４】
また、隣接する緊縛材６の係止部６１ｂ，６１ｃを交差させて胴縁２Ａ，２Ｂに取り付けることにより、竹材５の相互間に隙間を生じないようにすることができると共に竹材５が水平方向に移動するのを防止することができる。
【００３５】
また、腰掛枠４は、弾性を有する係着部材４３を有しているため、腰掛枠４の位置ずれを防止し、それぞれの竹材５の施工時の配置及び配列の状態、垣根１０の高さ等を長期にわたって維持することができる。
【符号の説明】
【００３６】
１Ａ    支柱
１Ｂ    支柱
２Ａ    胴縁
２Ｂ    胴縁
３Ａ    固定金具
３Ｂ    固定金具
３Ｃ    固定金具
３Ｄ    固定金具
４      腰掛枠（受け部材）
５      竹材（垣根材）
６      緊縛材
１０    垣根
４１ａ  金属線材
４１ｂ  金属線材
４１ｃ  金属線材
４１ｄ  金属線材
４１ｅ  金属線材
４１ｆ  金属線材
４２    補強線材
４３    係着部材
５１    節
６１ａ  Ｕ字形部
６１ｂ  係止部
６１ｃ  係止部
【図１】
0003161208.tif 000003
【図２】
0003161208.tif 000004
【図３】
0003161208.tif 000005
【図４】
0003161208.tif 000006
【図５】
0003161208.tif 000007
【図６】
0003161208.tif 000008